(57)【要約】【課題】  真空二重ガラス管全体の広い範囲で集熱することで局部の過加熱を抑制し安全にすることと、ガラス管の外面に真空層を設けてガラス管内外の熱伝導をなくし風の影響による放熱をしない構造とすることと、装置の小型化と携帯時に破損しない構造にすることと、汚染水から飲料水を製造することが可能な太陽熱調理器を得る。【解決手段】  太陽光を受けて水や油や食品などの被加熱物３を加熱する太陽熱調理器において、断熱のための真空層を有する円筒形の真空二重ガラス管１で、ガラス管自体が集熱面となり被加熱物を加熱することができる。【選択図】図２
2010002163.tif 000002
【特許請求の範囲】
【請求項１】
太陽光を受けて水や油や食品などの被加熱物を加熱する太陽熱調理器において、断熱のための真空層を有する円筒形二重ガラス管形状で、ガラス管自体が集熱面となり被加熱物を加熱することを特徴とする太陽熱調理器。
【請求項２】
請求項１記載の真空二重ガラス管で内部に直接被加熱物を投入し加熱することを特徴とする太陽熱調理器。
【請求項３】
請求項１記載の真空二重ガラス管で内部に熱伝導媒体を通し、熱伝導媒体から被加熱物を加熱する構造を特徴とする太陽熱調理器。
【請求項４】
請求項１記載の真空二重ガラス管の背面に、円筒或いは角筒の長手方向に対して平行に分割した形状の反射板を備えており、持ち運びや収納時にはガラス管の保護カバーとなる構造を特徴とする太陽熱調理器。
【請求項５】
請求項５記載の真空二重ガラス管で、内部に河川水、海水、雨水などの汚染水を入れ、蒸留によって飲料水の製造が可能であること特徴とする太陽熱調理器。
【発明の詳細な説明】
【技術分野】
【０００１】  本発明は、太陽光を受けて水や油や食品などの被加熱物を加熱する太陽熱調理器に関する。
【背景技術】
【０００２】  太陽熱調理器は、東南アジアや中東諸国で日常生活用品として、また国内でもアウトドアキャンプなどの主にホビー用品として利用され知られている。【０００３】  従来の太陽熱調理器は、一般に放物面形状（パラボラ型）をしており、広い反射面で受けた光を鍋や鉄板などの容器に焦点照射させることによって被加熱物を加熱するものが以前から知られている。（例えば、特許文献１参照）。
【特許文献１】  特開２００１−１８３０１２号
【０００４】  上述した太陽熱調理器は反射面が最も重要であり、太陽光の入射角によって反射面の角度や方位を調整する必要があり、自動又は手動で追尾する構造を有するものなども開発されている。
【発明の開示】
【発明が解決しようとする課題】
【０００５】  放物面形状の太陽熱調理器は、焦点に照射することで集熱が強力である反面、太陽の位置に合わせて方位と角度を調整しなければ被加熱物への焦点が外れて、使用者がやけどをしたり、周囲の物に発火したりする危険があった。【０００６】  放物面形状の太陽熱調理器は、一般に被加熱物の入った容器を焦点部分に置いて加熱するが、風の強い時には放熱が激しいため、調理に必要な温度まで上昇しないことがあった。【０００７】  放物面形状の太陽熱調理器は、広い反射面を有している性質上、風の強い時には転倒したり飛ばされたりすることがあった。【０００８】  ガラス製品であるため、携帯時に割れる危険があった。【０００９】  従来の太陽熱調理器は、非常時やインフラの不整備な地域に活躍することが期待される製品でありながら、大きさや構造の複雑化などの理由で高価であるので広く普及していない。【００１０】  本発明は、上述した従来の構成が有していた問題を解決しようとするものであり、太陽光を焦点照射させて加熱するのではなく、広い範囲で集熱することで局部の過加熱を抑制し安全にすることと、ガラス管の外面に真空層を設けてガラス管内外の熱伝導をなくし風の影響による放熱をしない構造とすることと、装置の小型化と携帯時に破損しない構造にすることと、汚染水から飲料水を製造することを目的とするものである。
【課題を解決するための手段】
【００１１】  本発明は、上述した目的を達成するために、太陽光を受けて水や油や食品などの被加熱物を加熱する太陽熱調理器において、断熱のための真空層を有する円筒形二重ガラス管形状で、ガラス管自体が集熱面となり被加熱物を加熱する構造とした。【００１２】  上述した二重真空ガラス管の加熱方法は、内部に直接被加熱物を投入し加熱する構造とした。【００１３】  上述した二重真空ガラス管の加熱方法は、内部に熱伝導媒体を通し、熱伝導媒体から被加熱物を加熱する構造とした。【００１４】  上述した真空二重ガラス管の背面に、円筒或いは角筒の長手方向に対して平行に分割した形状の反射板を備えており、持ち運びや収納時にはガラス管の保護カバーとなる構造とした。【００１５】  上述した真空二重ガラス管で、内部に河川水、海水、雨水などの汚染水を入れ蒸留によって飲料水を製造できる構造とした。
【発明の効果】
【００１６】  真空二重ガラス管全体が集熱面であるため、設置方位と角度に自由度があり、安全性の高い太陽熱調理器を提供できる。【００１７】  真空二重ガラス管は、真空層で覆われているので外気に熱伝導せず、風の影響による放熱がなく、また少量の被加熱物であれば小型の真空ガラス管のみで加熱できるので、小型の太陽熱調理器を提供できる。【００１８】  真空二重ガラス管は円筒形状で構成されているので、放射面形の太陽熱調理器と比べて風の影響を受けにくく、転倒しにくい太陽熱調理器を提供できる。【００１９】  ガラスの保護と集熱面積を大きくするための反射板を備えたことで、安全性と携帯性に優れているため、いつも持ち歩くことのできる太陽熱調理器が提供できる。
【発明の実施するための最良の形態】
【００２０】  図１は、本発明の真空二重ガラス管の縦断面図である。図において、１ａは内面ガラス、１ｂは外面ガラス、１ｃは吸収膜、１ｄは真空層で構成される。吸収膜は熱伝導性に優れた金属の薄膜をコーティングしてあり、集熱面は黒色であり太陽光を受けて熱を吸収し、ガラス管内面に伝える。
【００２１】  図２は、本発明の太陽熱調理器の最小構成斜視図である。図において、１は真空二重ガラス管であり、２はこれを支える脚である。この真空二重ガラス管１に被加熱物を投入し、加熱する。
【００２２】  図３は、本発明の太陽熱調理器の直接加熱用調理器を示す図であり、（Ａ）は調理状態斜視図、（Ｂ）は収納時の斜視図、（Ｃ）は調理器の断面図である。図において、３は被加熱物、４は反射板、５はガラス管取付け部品、６はケース、７はパチン錠である。取付け部品５によって固定された真空二重ガラス管１の背面に反射板４を配置しており、直接真空二重ガラス管１内に被加熱物３を投入し、加熱調理する。
【００２３】  ケース６は、反射板４による集光と真空二重ガラス管１の保護の機能を併せ持っている。
【００２４】  図４は、本発明の太陽熱調理器の間接加熱調理器を示す系統図である。図において８は熱伝導媒体、９は熱媒、１０は循環配管、１１は断熱材、１２は熱交換器、１３は加熱容器を示しており、１４は循環ポンプである。真空二重ガラス管１で集熱された熱は、熱伝導媒体８に伝えられ、熱媒９へと伝熱する。熱媒９は循環ポンプ１４によって循環配管１０を通って、熱交換器内１２へ流れて行き被加熱物３へ伝熱し加熱する。
【００２５】  図５は、本発明の太陽熱調理器の折りたたみ式調理器を示す図であり、（Ａ）は調理状態斜視図、（Ｂ）は収納時の斜視図、（Ｃ）は調理器の断面図である。図において、５は真空二重ガラス管１を固定するための部品、１５は反射板兼用カバーを示しており、反射板兼用カバー１５は円筒を長手方向に平行に二分割した形状をしている。二分割した反射板兼用カバー１５は片側一辺が蝶番１７で繋がっており、折りたたみ時には、蝶番１７の反対側の一辺同士が合わさって、真空二重ガラス管１を包み込み、ガラス管を保護し、取手１６によって容易に収納し持ち運ぶことが可能である。
【００２６】  図６は、本発明の太陽熱調理器の蒸留による飲料水を製造する系統斜視図である。図において、１８は蒸留した水を溜める容器、１９は冷却水容器、２０は冷却水入口、２１は冷却水出口、２２は冷却水、２３は真空二重ガラス管１の栓、２４は配管、２７は河川水や海水や雨水などの汚染水である。真空二重ガラス管１が太陽の日射を受けると加熱され、汚染水２７が沸騰すると、蒸気が配管２４を通って蒸留水容器１８へ入っていき、蒸気は冷却水２２との熱交換によって蒸留水容器１８内で露点温度となり、凝集される。この作用によって、汚染水から飲料水を製造することが可能である。
【００２７】  図７は、本発明の太陽熱調理器の蒸留による飲料水を製造する系統斜視図である。図において、２５はフロート、２６は河川或いは海水である。真空二重ガラス管１が太陽の日射を受けると加熱され、汚染水２７が沸騰すると、蒸気が配管２４を通って蒸留水容器１８へ入っていき、蒸気は海水或いは河川水２６との熱交換によって蒸留水容器１８内で露点温度となり、凝集される。この作用によって、汚染水から飲料水を製造することが可能である。
【図面の簡単な説明】
【００２８】
【図１】  本発明の太陽熱調理器の真空二重ガラス管の縦断面図である。
【図２】  本発明の太陽熱調理器の最小構成斜視図である。
【図３】  本発明の太陽熱調理器の直接加熱調理器を示す図であり、（Ａ）は調理状態斜視図、（Ｂ）は収納時の斜視図、（Ｃ）は調理器の断面図である。
【図４】  本発明の太陽熱調理器の間接加熱調理器を示す系統図である。
【図５】  本発明の太陽熱調理器の折りたたみ式調理器を示す図であり、（Ａ）は調理状態斜視図、（Ｂ）は収納時の斜視図、（Ｃ）は調理器の断面図である。
【図６】  本発明の太陽熱調理器の蒸留による飲料水を製造する系統斜視図である。
【図７】  本発明の太陽熱調理器の蒸留による飲料水を製造する系統斜視図である。
【符号の説明】
【００２９】１  真空二重ガラス管
１ｄ  真空層
２  脚
３  被加熱物
４  反射板、
８  熱伝導媒体
１５  反射板兼用カバー
１８  蒸留水容器
２７  汚染水
【図１】
2010002163.tif 000003
【図２】
2010002163.tif 000004
【図３】
2010002163.tif 000005
【図４】
2010002163.tif 000006
【図５】
2010002163.tif 000007
【図６】
2010002163.tif 000008
【図７】
2010002163.tif 000009